(57)【要約】【課題】サーバやＰＣ、その他機器等の様々な場所に格納されている画像を、あたかもデジタルカメラ内にあるようにアクセス、閲覧する。【解決手段】デジタルカメラ１は、再生モードに設定すると（ステップＳ１）、無線ＬＡＮ通信部６を介してネットワーク２００に接続され、表示部５に画像格納場所の表示を行い（ステップＳ２）、さらにネットワーク２００を介して取得した関連フォルダの表示を行う（ステップＳ３）。ユーザが所望のフォルダを選択すると、デジタルカメラ１は、無線ＬＡＮ通信部６を介して選択したフォルダに相当するサーバ１００と通信を行う（ステップＳ４）。サーバ１００は、アクセスしてきたデジタルカメラ１に対してユーザ認証を行い（ステップＳ５）、ユーザ認証が成功するとアクセスを許可する。デジタルカメラ１の表示部５には、サーバ１００内の各フォルダがツリー表示され、ユーザがさらに所望のフォルダを選択すると、選択したフォルダ内に格納されている画像が表示部５に表示される（ステップＳ６）。【選択図】  図３
2009193108.tif 000002
【特許請求の範囲】
【請求項１】
撮像レンズを介して受光した被写体像を画像データに変換する撮像手段と、
前記画像データをコンテンツとして記録する記録手段と、
再生表示するコンテンツを指定する指定手段と、
前記指定されたコンテンツを再生表示する表示手段と、
コンテンツを記録可能な機器であって、ネットワークを介して接続可能な機器からコンテンツを受信する通信手段と、を備え、
前記指定手段は、前記記録手段に記録されているコンテンツと前記機器に記録されているコンテンツとを区別することなく指定可能なことを特徴とするデジタルカメラ。
【請求項２】
前記表示手段は、前記機器を１つのフォルダとして扱い、該機器のフォルダを前記記録手段のフォルダと同階層に配置してフォルダのリストを表示することを特徴とする請求項１に記載のデジタルカメラ。
【請求項３】
前記表示手段に表示された前記機器のフォルダを前記指定手段により指定することにより、前記通信手段が前記機器とネットワークを介して接続を行い、前記機器内部のフォルダ構成を取得し、
前記表示手段は、前記取得した機器内部のフォルダ構成を前記機器のフォルダの下に階層的に配置してフォルダ及びコンテンツのリストを表示することを特徴とする請求項２に記載のデジタルカメラ。
【請求項４】
前記ネットワークを介して接続可能な機器の存在情報を予め取得する手段を備えたことを特徴とする請求項１から３のいずれかに記載のデジタルカメラ。
【請求項５】
前記記録手段に記録されているコンテンツであって、所定の条件を満たすコンテンツを前記通信手段が前記機器に送信するとともに、前記記録手段は前記送信したコンテンツを前記記録手段から削除することを特徴とする請求項１から４のいずれかに記載のデジタルカメラ。
【請求項６】
前記通信手段が前記機器から受信して前記記録手段に記録したコンテンツであって、所定の条件を満たすコンテンツについてサイズを縮小加工して前記記録手段に記録、または削除することを特徴とする請求項１から５のいずれかに記載のデジタルカメラ。
【請求項７】
前記所定の条件は、アクセス頻度が所定回数未満、最終アクセスからの経過時間が所定時間以上、合計閲覧時間が所定時間以下、のうちいずれか１つであることを特徴とする請求項５または６に記載のデジタルカメラ。
【請求項８】
プリントするコンテンツを指定するプリント指定手段を備え、
前記通信手段は、ネットワークを介して接続された機器であって、コンテンツをプリント可能な機器に対し、前記プリント指定手段により指定されたコンテンツを送信するとともにプリントを行わせることを特徴とする請求項１から７のいずれかに記載のデジタルカメラ。
【請求項９】
請求項１から８のいずれかに記載のデジタルカメラ及びコンテンツを記録可能な複数のコンテンツサーバとネットワークを介して接続可能なコンテンツ管理サーバにおいて、
前記デジタルカメラから所定のコンテンツの送信指示を受信する手段と、
前記送信指示のあったコンテンツを格納しているコンテンツサーバに対して、前記コンテンツをデジタルカメラに送信するように指示をする手段と、
前記デジタルカメラからの送信指示の頻度が高いコンテンツを、該コンテンツを格納しているコンテンツサーバから取得する取得手段と、
前記デジタルカメラから前記記憶したコンテンツの送信指示があった場合に、前記取得したコンテンツを前記デジタルカメラに送信するコンテンツ送信手段と、
を備えたことを特徴とするコンテンツ管理サーバ。
【請求項１０】
請求項１から８のいずれかに記載のデジタルカメラ及びコンテンツを記録可能な複数のコンテンツサーバとネットワークを介して接続可能なコンテンツ管理サーバにおいて、
前記複数のコンテンツサーバから該コンテンツサーバに記録されている各コンテンツのサムネイルを取得し、前記デジタルカメラに前記サムネイルを送信する手段と、
前記デジタルカメラから所望のコンテンツの送信指示を受信する手段と、
前記送信指示のあったコンテンツを格納しているコンテンツサーバから前記送信指示のあったコンテンツを取得する取得手段と、
前記取得したコンテンツを前記デジタルカメラに送信するコンテンツ送信手段と、
を備えたことを特徴とするコンテンツ管理サーバ。
【請求項１１】
前記取得手段は、前記取得したコンテンツとともに該コンテンツに関連するコンテンツを取得することを特徴とする請求項９または１０に記載のコンテンツ管理サーバ。
【請求項１２】
前記コンテンツ送信手段は、前記取得したコンテンツとともに前記関連するコンテンツを送信することを特徴とする請求項１１に記載のコンテンツ管理サーバ。
【請求項１３】
前記関連するコンテンツは、人物、場所、時間のうち少なくとも１つが前記取得したコンテンツに関連することを特徴とする請求項１１または１２に記載のコンテンツ管理サーバ。
【請求項１４】
前記デジタルカメラにおける前記複数のサーバに対するアクセス権を一括して管理することを特徴とする請求項９から１３のいずれかに記載のコンテンツ管理サーバ。
【請求項１５】
撮像レンズを介して受光した被写体像を画像データに変換する撮像手段と、
前記画像データをコンテンツとして記録する記録手段と、
再生表示するコンテンツを指定する指定手段と、
前記指定されたコンテンツを再生表示する表示手段と、
コンテンツを記録可能な機器であって、ネットワークを介して接続可能な機器からコンテンツを受信する通信手段と、を備え、
前記指定手段は、前記記録手段に記録されているコンテンツと前記機器に記録されているコンテンツとを区別することなく指定可能なデジタルカメラと、
前記デジタルカメラ及びコンテンツを記録可能な複数のコンテンツサーバとネットワークを介して接続可能なコンテンツ管理サーバにおいて、
前記デジタルカメラから所定のコンテンツの送信指示を受信する手段と、
前記送信指示のあったコンテンツを格納しているコンテンツサーバに対して、前記コンテンツをデジタルカメラに送信するように指示をする手段と、
前記デジタルカメラからの送信指示の頻度が高いコンテンツを、該コンテンツを格納しているコンテンツサーバから取得する取得手段と、
前記デジタルカメラから前記記憶したコンテンツの送信指示があった場合に、前記取得したコンテンツを前記デジタルカメラに送信するコンテンツ送信手段と、
を備えたコンテンツ管理サーバと、
から構成されることを特徴とするコンテンツ共有システム。
【請求項１６】
撮像レンズを介して受光した被写体像を画像データに変換する撮像手段と、
前記画像データをコンテンツとして記録する記録手段と、
再生表示するコンテンツを指定する指定手段と、
前記指定されたコンテンツを再生表示する表示手段と、
コンテンツを記録可能な機器であって、ネットワークを介して接続可能な機器からコンテンツを受信する通信手段と、を備え、
前記指定手段は、前記記録手段に記録されているコンテンツと前記機器に記録されているコンテンツとを区別することなく指定可能なデジタルカメラと、
前記デジタルカメラ及びコンテンツを記録可能な複数のコンテンツサーバとネットワークを介して接続可能なコンテンツ管理サーバにおいて、
前記複数のコンテンツサーバから該コンテンツサーバに記録されている各コンテンツのサムネイルを取得し、前記デジタルカメラに前記サムネイルを送信する手段と、
前記デジタルカメラから所望のコンテンツの送信指示を受信する手段と、
前記送信指示のあったコンテンツを格納しているコンテンツサーバから前記送信指示のあったコンテンツを取得する取得手段と、
前記取得したコンテンツを前記デジタルカメラに送信するコンテンツ送信手段と、
を備えたコンテンツ管理サーバと、
から構成されることを特徴とするコンテンツ共有システム。
【請求項１７】
撮像レンズを介して受光した被写体像を画像データに変換する撮像工程と、
前記画像データをコンテンツとして記録する記録工程と、
再生表示するコンテンツを指定する指定工程と、
前記指定されたコンテンツを再生表示する表示工程と、
コンテンツを記録可能な機器であって、ネットワークを介して接続可能な機器からコンテンツを受信する通信工程と、を備え、
前記表示工程は、前記記録工程で記録されたコンテンツと前記機器に記録されているコンテンツとを区別することなく前記指定工程において指定可能なように表示を行うことを特徴とするコンテンツ表示方法。
【発明の詳細な説明】
【技術分野】
【０００１】
本発明はデジタルカメラ、サーバ及びコンテンツ共有システムならびにコンテンツ表示方法に係り、特にデジタルカメラ内に格納されているコンテンツだけでなく、ネットワーク上の各種サーバに格納されているコンテンツについても、デジタルカメラ内にあるように閲覧することができるデジタルカメラ、コンテンツ管理サーバ及びコンテンツ共有システムならびにコンテンツ表示方法に関する。
【背景技術】
【０００２】
ＤＳＣ内のメモリには限界があり、かつ近年においては画像のサイズも大きくなってきている。したがって、撮影した全ての画像をＤＳＣ内のメモリに保存しておくことは不可能である。そこで、各種機器、サーバに画像を蓄積することが一般的となる。しかし、画像をサーバ等に蓄積した場合、ＤＳＣでその画像を閲覧するには、操作や表示が煩雑になるといった問題があった。
【０００３】
引用文献１には、画像ファイルをネットワーク上の複数のサーバに保存させる場合、端末でファイルのリストを表示する際に、そのファイルがＡというサーバに保存されているのか、Ｂというサーバに保存されているのかを区別することなく表示するファイル保存システムが記載されている。引用文献１によれば、ユーザが各サーバの存在を意識することがなく、保存したファイルを容易に把握することが可能となる。
【特許文献１】特開２００３−１８６７２７号公報
【発明の開示】
【発明が解決しようとする課題】
【０００４】
しかしながら、特許文献１に記載のファイル保存システムに接続可能な端末は、撮像部を持たない端末であり、特許文献１にはＤＳＣについての開示はない。また、端末に保存されたファイルとサーバに保存されたファイルは別画面においてリスト表示されており、アクセスしようとするファイルが、端末とサーバのどちらに保存されているのかを予め知っている必要があるという問題点があった。
【０００５】
本発明はこのような事情に鑑みてなされたもので、ＤＳＣ内のみならず、サーバやＰＣ、その他機器等の様々な場所に格納されている画像を、あたかも１つの場所にあるようにアクセス、閲覧できるデジタルカメラ、コンテンツ管理サーバ及びコンテンツ共有システムならびにコンテンツ表示方法を提供することを目的とする。
【課題を解決するための手段】
【０００６】
前記目的を達成するために請求項１に記載のデジタルカメラは、撮像レンズを介して受光した被写体像を画像データに変換する撮像手段と、前記画像データをコンテンツとして記録する記録手段と、再生表示するコンテンツを指定する指定手段と、前記指定されたコンテンツを再生表示する表示手段と、コンテンツを記録可能な機器であって、ネットワークを介して接続可能な機器からコンテンツを受信する通信手段とを備え、前記指定手段は、前記記録手段に記録されているコンテンツと前記機器に記録されているコンテンツとを区別することなく指定可能なことを特徴とする。
【０００７】
これにより、サーバ等にあるコンテンツがあたかもデジタルカメラ内にあるようにアクセス、閲覧できることで、ユーザが画像の蓄積先を意識する必要が無くなる。
【０００８】
請求項２に示すように請求項１に記載のデジタルカメラにおいて、前記表示手段は、前記機器を１つのフォルダとして扱い、該機器のフォルダを前記記録手段のフォルダと同階層に配置してフォルダのリストを表示することを特徴とする。
【０００９】
これにより、サーバ等があたかもデジタルカメラ内のフォルダであるようにアクセスすることができる。
【００１０】
請求項３に示すように請求項２に記載のデジタルカメラにおいて、前記表示手段に表示された前記機器のフォルダを前記指定手段により指定することにより、前記通信手段が前記機器とネットワークを介して接続を行い、前記機器内部のフォルダ構成を取得し、前記表示手段は、前記取得した機器内部のフォルダ構成を前記機器のフォルダの下に階層的に配置してフォルダ及びコンテンツのリストを表示することを特徴とする。
【００１１】
これにより、サーバ等への接続処理を最小限におさえ、さらにサーバ等にあるコンテンツがあたかもデジタルカメラ内にあるようにアクセスすることができる。
【００１２】
請求項４に示すように請求項１から３のいずれかに記載のデジタルカメラにおいて、前記ネットワークを介して接続可能な機器の存在情報を予め取得する手段を備えたことを特徴とする。
【００１３】
これにより、接続処理の時間を短縮してフォルダを表示することができる。
【００１４】
請求項５に示すように請求項１から４のいずれかに記載のデジタルカメラにおいて、前記記録手段に記録されているコンテンツであって、所定の条件を満たすコンテンツを前記通信手段が前記機器に送信するとともに、前記記録手段は前記送信したコンテンツを前記記録手段から削除することを特徴とする。
【００１５】
これにより、ユーザが気に入った画像のみをデジタルカメラ内に残しておくことができる。
【００１６】
請求項６に示すように請求項１から５のいずれかに記載のデジタルカメラにおいて、前記通信手段が前記機器から受信して前記記録手段に記録したコンテンツであって、所定の条件を満たすコンテンツについてサイズを縮小加工して前記記録手段に記録、または削除することを特徴とする。
【００１７】
これにより、デジタルカメラ内のメモリ容量の占有を回避することができる。
【００１８】
請求項７に示すように請求項５または６に記載のデジタルカメラにおいて、前記所定の条件は、アクセス頻度が所定回数未満、最終アクセスからの経過時間が所定時間以上、合計閲覧時間が所定時間以下、のうちいずれか１つであることを特徴とする。
【００１９】
これにより、不要なコンテンツについて優先的に、サイズの縮小や削除をすることができる。
【００２０】
請求項８に示すように請求項１から７のいずれかに記載のデジタルカメラにおいて、プリントするコンテンツを指定するプリント指定手段を備え、前記通信手段は、ネットワークを介して接続された機器であって、コンテンツをプリント可能な機器に対し、前記プリント指定手段により指定されたコンテンツを送信するとともにプリントを行わせることを特徴とする。
【００２１】
これにより、コンテンツが格納されている場所にかかわらず、プリントを行うことができる。
【００２２】
前記目的を達成するために請求項９に記載のコンテンツ管理サーバは、請求項１から８のいずれかに記載のデジタルカメラ及びコンテンツを記録可能な複数のコンテンツサーバとネットワークを介して接続可能なコンテンツ管理サーバにおいて、前記デジタルカメラから所定のコンテンツの送信指示を受信する手段と、前記送信指示のあったコンテンツを格納しているコンテンツサーバに対して、前記コンテンツをデジタルカメラに送信するように指示をする手段と、前記デジタルカメラからの送信指示の頻度が高いコンテンツを、該コンテンツを格納しているコンテンツサーバから取得する取得手段と、前記デジタルカメラから前記記憶したコンテンツの送信指示があった場合に、前記取得したコンテンツを前記デジタルカメラに送信するコンテンツ送信手段とを備えたことを特徴とする。
【００２３】
これにより、常時アクセスを可能にすることができる。
【００２４】
前記目的を達成するために請求項１０に記載のコンテンツ管理サーバは、請求項１から８のいずれかに記載のデジタルカメラ及びコンテンツを記録可能な複数のコンテンツサーバとネットワークを介して接続可能なコンテンツ管理サーバにおいて、前記複数のコンテンツサーバから該コンテンツサーバに記録されている各コンテンツのサムネイルを取得し、前記デジタルカメラに前記サムネイルを送信する手段と、前記デジタルカメラから所望のコンテンツの送信指示を受信する手段と、前記送信指示のあったコンテンツを格納しているコンテンツサーバから前記送信指示のあったコンテンツを取得する取得手段と、前記取得したコンテンツを前記デジタルカメラに送信するコンテンツ送信手段とを備えたことを特徴とする。
【００２５】
これにより、閲覧に支障のない画素を持つコンテンツに対して、常時アクセスを可能にすることができる。
【００２６】
請求項１１に示すように請求項９または１０に記載のコンテンツ管理サーバにおいて、前記取得手段は、前記取得したコンテンツとともに該コンテンツに関連するコンテンツを取得することを特徴とする。
【００２７】
これにより、コンテンツの閲覧をスムーズに行うことができる。
【００２８】
請求項１２に示すように請求項１１に記載のコンテンツ管理サーバにおいて、前記コンテンツ送信手段は、前記取得したコンテンツとともに前記関連するコンテンツを送信することを特徴とする。
【００２９】
これにより、コンテンツの閲覧をスムーズに行うことができる。
【００３０】
請求項１３に示すように請求項１１または１２に記載のコンテンツ管理サーバにおいて、前記関連するコンテンツは、人物、場所、時間のうち少なくとも１つが前記取得したコンテンツに関連することを特徴とする。
【００３１】
これにより、ユーザが次にアクセスしそうなコンテンツをコンテンツ管理サーバやデジタルカメラに予め移動させておくことができる。
【００３２】
請求項１４に示すように請求項９から１３のいずれかに記載のコンテンツ管理サーバにおいて、前記デジタルカメラにおける前記複数のサーバに対するアクセス権を一括して管理することを特徴とする。
【００３３】
これにより、デジタルカメラ内のフォルダ構成をユーザが自由に設定することができる。
【００３４】
前記目的を達成するために請求項１５に記載のコンテンツ共有システムは、撮像レンズを介して受光した被写体像を画像データに変換する撮像手段と、前記画像データをコンテンツとして記録する記録手段と、再生表示するコンテンツを指定する指定手段と、前記指定されたコンテンツを再生表示する表示手段と、コンテンツを記録可能な機器であって、ネットワークを介して接続可能な機器からコンテンツを受信する通信手段とを備え、前記指定手段は、前記記録手段に記録されているコンテンツと前記機器に記録されているコンテンツとを区別することなく指定可能なデジタルカメラと、前記デジタルカメラ及びコンテンツを記録可能な複数のコンテンツサーバとネットワークを介して接続可能なコンテンツ管理サーバにおいて、前記デジタルカメラから所定のコンテンツの送信指示を受信する手段と、前記送信指示のあったコンテンツを格納しているコンテンツサーバに対して、前記コンテンツをデジタルカメラに送信するように指示をする手段と、前記デジタルカメラからの送信指示の頻度が高いコンテンツを、該コンテンツを格納しているコンテンツサーバから取得する取得手段と、前記デジタルカメラから前記記憶したコンテンツの送信指示があった場合に、前記取得したコンテンツを前記デジタルカメラに送信するコンテンツ送信手段とを備えたコンテンツ管理サーバとから構成されることを特徴とする。
【００３５】
これにより、サーバ等にあるコンテンツがあたかもデジタルカメラ内にあるようにアクセス、閲覧できることで、ユーザが画像の蓄積先を意識する必要が無くなり、さらに、常時アクセスを可能にすることができる。
【００３６】
前記目的を達成するために請求項１６に記載のコンテンツ共有システムは、撮像レンズを介して受光した被写体像を画像データに変換する撮像手段と、前記画像データをコンテンツとして記録する記録手段と、再生表示するコンテンツを指定する指定手段と、前記指定されたコンテンツを再生表示する表示手段と、コンテンツを記録可能な機器であって、ネットワークを介して接続可能な機器からコンテンツを受信する通信手段とを備え、前記指定手段は、前記記録手段に記録されているコンテンツと前記機器に記録されているコンテンツとを区別することなく指定可能なデジタルカメラと、前記デジタルカメラ及びコンテンツを記録可能な複数のコンテンツサーバとネットワークを介して接続可能なコンテンツ管理サーバにおいて、前記複数のコンテンツサーバから該コンテンツサーバに記録されている各コンテンツのサムネイルを取得し、前記デジタルカメラに前記サムネイルを送信する手段と、前記デジタルカメラから所望のコンテンツの送信指示を受信する手段と、前記送信指示のあったコンテンツを格納しているコンテンツサーバから前記送信指示のあったコンテンツを取得する取得手段と、前記取得したコンテンツを前記デジタルカメラに送信するコンテンツ送信手段とを備えたコンテンツ管理サーバとから構成されることを特徴とする。
【００３７】
これにより、サーバ等にあるコンテンツがあたかもデジタルカメラ内にあるようにアクセス、閲覧できることで、ユーザが画像の蓄積先を意識する必要が無くなり、さらに、閲覧に支障のない画素を持つコンテンツに対して、常時アクセスを可能にすることができる。
【００３８】
前記目的を達成するために請求項１７に記載のコンテンツ表示方法は、撮像レンズを介して受光した被写体像を画像データに変換する撮像工程と、前記画像データをコンテンツとして記録する記録工程と、再生表示するコンテンツを指定する指定工程と、前記指定されたコンテンツを再生表示する表示工程と、コンテンツを記録可能な機器であって、ネットワークを介して接続可能な機器からコンテンツを受信する通信工程とを備え、前記表示工程は、前記記録工程で記録されたコンテンツと前記機器に記録されているコンテンツとを区別することなく前記指定工程において指定可能なように表示を行うことを特徴とする。
【００３９】
これにより、サーバ等にあるコンテンツがあたかもデジタルカメラ内にあるようにアクセス、閲覧できることで、ユーザが画像の蓄積先を意識する必要が無くなる。
【発明の効果】
【００４０】
本発明によれば、ＤＳＣ内のみならず、サーバやＰＣ、その他機器等の様々な場所に格納されている画像を、あたかも１つの場所にあるようにアクセス、閲覧できるデジタルカメラ、コンテンツ管理サーバ及びコンテンツ共有システムならびにコンテンツ表示方法を提供することができる。
【発明を実施するための最良の形態】
【００４１】
以下、添付図面に従って本発明を実施するための最良の形態について説明する。
【００４２】
＜第１の実施の形態＞
図１は、本発明が適用されたデジタルカメラ１の電気的構成を示すブロック図である。
【００４３】
同図に示すように、本実施の形態のデジタルカメラ１は、撮像部２、制御部３、記録部４、表示部５、無線ＬＡＮ通信部６等を備えて構成される。
【００４４】
制御部３は、ＣＰＵやその他の周辺回路から構成され、デジタルカメラ１内の各部を統括制御する。各部は制御部３に制御されて動作する。
【００４５】
撮像部２は、図示しない撮影レンズ、撮像素子、Ａ／Ｄ変換器、及びデジタル信号処理ＩＣ等を備え、撮像素子から得られた信号をＡ／Ｄ変換し、各種のデジタル信号処理を施して所定の画像データを生成する。
【００４６】
記録部４は、内蔵メモリの他、デジタルカメラ１と着脱可能な記録メディアにより構成されており、撮像部２によって撮影された静止画や動画を記録する。また、デジタルカメラ１は、パソコン等から記録メディア内に記録された画像データを読み出すことも可能である。
【００４７】
表示部５は、液晶パネル等から構成されており、撮像時のスルー画表示や、記録部４に記録されている画像データの再生表示を行う。
【００４８】
無線ＬＡＮ通信部６は、変復調、周波数変換など所定の通信処理を行い、アクセスポイントとの間で無線ＬＡＮ通信を行う。デジタルカメラ１は、アクセスポイントを介した無線ＬＡＮを用いて、ＬＡＮ、ＷＡＮ、及びインターネットに接続することが可能である。なお、インターネットに接続する手段は無線ＬＡＮに限られるものではなく、ＷｉＭＡＸや有線のＬＡＮであっても構わない。
【００４９】
図２は、本実施の形態におけるコンテンツ共有システムの全体構成図である。コンテンツ共有システムは、前述のデジタルカメラ１の他、パソコン５０、サーバ１００、及びネットワーク２００等から構成されている。
【００５０】
ネットワーク２００は、ＬＡＮ、ＷＡＮ、及びインターネットからなるネットワークである。前述のように、デジタルカメラ１は無線ＬＡＮ通信部６によりネットワーク２００に接続可能であるが、これと同様に、パソコン５０、サーバ１００についても、それぞれネットワーク２００と接続可能に構成されている。したがって、デジタルカメラ１、パソコン５０、及びサーバ１００は、ネットワーク２００を介してそれぞれ双方向のデータ通信を行うことが可能である。
【００５１】
パソコン５０、サーバ１００は、静止画、各種フォーマットの動画等の各種コンテンツを格納しており、これらのコンテンツは、ネットワーク２００を介して送受信が可能である。
【００５２】
また、デジタルカメラ１とパソコン５０は、ネットワーク２００を介さずに、図示しないＵＳＢやＩｒＤＡを用いて直接通信を行うことも可能となっている。直接通信を行う手段はＵＳＢやＩｒＤＡに限られるものではなく、ワイヤレスＵＳＢやＢｌｕｅｔｏｏｔｈを用いてもよい。
【００５３】
なお、本発明に係るコンテンツ共有システムは、ネットワーク２００に接続されるデジタルカメラ１、パソコン５０、及びサーバ１００が何台あっても構わない。また、パソコン５０は、デジタルカメラ１のユーザの自宅等に設置したサーバであってもよい。
【００５４】
次に、本実施の形態におけるコンテンツ共有方法について説明する。図３は、デジタルカメラ１においてサーバ１００に格納されている画像を再生表示する場合におけるコンテンツ共有システムを構成する各機器の動作を示すフローチャートである。なお、本明細書において画像とは、静止画に限られるものでなく、各種フォーマットの動画像等のコンテンツ全般を指している。
【００５５】
ユーザがデジタルカメラ１を再生モードに設定すると（ステップＳ１）、デジタルカメラ１は、無線ＬＡＮ通信部６を介してネットワーク２００に接続される。そして、表示部５にデジタルカメラ１内外の画像格納場所についての表示を行い（ステップＳ２）、さらに、ＵＳＢやＩｒＤＡにより接続されたパソコン５０やネットワーク２００に接続されている複数のサーバ１００から機器名やサーバ名等の情報を取得し、関連フォルダとしての表示を行う（ステップＳ３）。図４は、この場合における表示部５の表示の一例を示す図である。図４に示す例では、デジタルカメラ１のトップフォルダの下に画像格納場所としてデジタルカメラ１内を示すフォルダ１、及びデジタルカメラ１外を示すフォルダ２が存在する。フォルダ１は、関連フォルダである記録部４の記録メディア内を示すフォルダ１−１、及び記録部４の内蔵メモリ内を示すフォルダ１−２から構成され、フォルダ２は、関連フォルダであるパソコン５０内を示すフォルダ２−１、２−２、及びネットワーク上のサーバ１００内を示すフォルダ２−３から構成されている。このように、デジタルカメラ１の外部の画像格納場所であるサーバ１００等が関連フォルダとして階層構造で表され、デジタルカメラ１の表示部５は、この階層構造を、ツリーを用いて表示する。
【００５６】
なお、この関連フォルダについては、ネットワーク接続を行わずに、前回の接続状況に基づいて表示してもよい。このように構成することで、直ちに関連フォルダを表示することが可能となる。
【００５７】
ユーザは、デジタルカメラ１の図示しない十字キー等を用いて、表示部５に表示されたツリーから所望のフォルダを選択することができる。例えば、ユーザがフォルダ２−１を選択したとすると、デジタルカメラ１は、ＵＳＢやＩｒＤＡを用いてパソコン５０と通信を行う（ステップＳ４）。パソコン５０は、アクセスしてきたデジタルカメラ１に対して、ＩＤとパスワードによるユーザ認証を行う（ステップＳ５）。ユーザは、デジタルカメラ１の図示しない入力部によりＩＤ及びパスワードを入力してパソコン５０へ送信する。パソコン５０は送信されたＩＤとパスワードを照合し、デジタルカメラ１のユーザが正当な権限を持つユーザであるか否かの確認を行う。
【００５８】
ユーザ認証が成功すると、パソコン５０はデジタルカメラ１に対してアクセスを許可し、デジタルカメラ１の表示部５には、パソコン５０内の各フォルダがツリー表示される。
ユーザがさらに十字キー等を用いて、表示部５に表示されたパソコン５０内のツリーから所望のフォルダを選択すると、選択したフォルダ内に格納されている画像を表示部５に表示することが可能となる（ステップＳ６）。このように、ユーザは、デジタルカメラ１の表示部５に、パソコン５０の所望のフォルダ内に格納されている画像を表示することができる。
【００５９】
ここで、ユーザがツリーの上層に戻ってフォルダ２−３を選択すると（ステップＳ７）、デジタルカメラ１は、無線ＬＡＮ通信部６を介してサーバ１００と通信を行う（ステップＳ８）。サーバ１００は、アクセスしてきたデジタルカメラ１に対して、ＩＤとパスワードによるユーザ認証を行う。ユーザは、パソコン５０にアクセスした場合と同様に、デジタルカメラ１の図示しない入力部によりＩＤ及びパスワードを入力してサーバ１００へ送信する。サーバ１００は送信されたＩＤとパスワードを照合し、デジタルカメラ１のユーザが正当な権限を持つユーザであるか否かの確認を行う。
【００６０】
ユーザ認証が成功すると、サーバ１００は、デジタルカメラ１に対してアクセスを許可し、デジタルカメラ１の表示部５には、サーバ１００内の各フォルダがツリー表示される。ユーザがさらに十字キー等を用いて、表示部５に表示されたサーバ１００内のツリーから所望のフォルダを選択すると、選択したフォルダ内に格納されている画像を表示部５に表示することが可能となる（ステップＳ９）。
【００６１】
このように、ユーザは、デジタルカメラ１の表示部５に、さらに異なる機器に格納されている画像を表示することも可能である。
【００６２】
ユーザが再生モードを終了すると（ステップＳ１０）、デジタルカメラ１はネットワークを切断し（ステップＳ１１）、パソコン５０やサーバ１００との通信を終了する。
【００６３】
以上のように、本発明のデジタルカメラ１によれば、ユーザは、パソコン５０やサーバ１００に格納されている画像をあたかもデジタルカメラ１の内部にあるようにアクセス、閲覧することが可能となるため、画像の蓄積先を意識する必要がない。
【００６４】
＜第２の実施の形態＞
図５は、本実施の形態におけるコンテンツ共有システムの全体構成図である。図２に示す全体構成図とは、メインサーバ１０１を備えたところが異なっている。
【００６５】
図６は、本実施の形態のコンテンツ共有システムを構成する各機器の動作を示すフローチャートである。なお、図３に示すフローチャートと共通する部分には同一の符号を付し、その詳細な説明は省略する。
【００６６】
本実施の形態のコンテンツ共有システムは、閲覧頻度の高いコンテンツを含むフォルダ内のコンテンツを予めメインサーバ１０１がデジタルカメラ１に送信することにより、常時アクセスが可能なシステムを提供する。
【００６７】
第１の実施の形態と同様に、ユーザがデジタルカメラ１を再生モードに設定すると（ステップＳ１）、デジタルカメラ１は、無線ＬＡＮ通信部６を介してネットワーク２００に接続され、表示部５に画像格納場所及び関連フォルダ表示を行う（ステップＳ２、Ｓ３）。ただし、メインサーバ１０１については、関連フォルダとしての表示は行わない。
【００６８】
ユーザが所望のフォルダを選択すると、デジタルカメラ１は、無線ＬＡＮ通信部６を介して選択したフォルダに相当するサーバ１００と通信を行う（ステップＳ４）。サーバ１００は、アクセスしてきたデジタルカメラ１に対して、ＩＤとパスワードによるユーザ認証を行う（ステップＳ５）。
【００６９】
ユーザ認証が成功すると、サーバ１００はデジタルカメラ１に対してアクセスを許可する。このユーザ認証は、メインサーバ１０１に対しても有効となり、後述するように、ユーザ認証が成功するとデジタルカメラ１とメインサーバ１０１との通信が可能となる。また、デジタルカメラ１の表示部５には、サーバ１００内の各フォルダがツリー表示され、ユーザがさらに所望のフォルダを選択すると、選択したフォルダ内に格納されている画像が表示部５に表示される（ステップＳ６）。
【００７０】
ここで、サーバ１００は、ユーザ毎に所定時間内のアクセス回数を監視している。サーバ１００に対して同じユーザからＭ時間内にＮ回以上のアクセスがあった場合（ステップＳ１２）は、メインサーバ１０１は、そのユーザがアクセスしたフォルダ内の画像をサーバ１００から取得する（ステップＳ１３）。
【００７１】
その後、そのユーザからサーバ１００の該当するフォルダにアクセスがあった場合は、、メインサーバ１０１からそのフォルダに格納されていた画像データが送信され、デジタルカメラ１の表示部５に表示される（ステップＳ６−２）。
【００７２】
このように、アクセス頻度の高い画像は、常時アクセス可能なメインサーバ１０１に自動的に移動させることにより、所望の画像が格納されている機器の電源がオフされている場合であっても画像の閲覧が可能となり、常時アクセスが可能なシステムとなる。
【００７３】
＜第３の実施の形態＞
第３の実施の形態のコンテンツ共有システムは、サムネイルレベルの画像をメインサーバ１０１が一元的に管理している。サムネイルレベルの画像とは、コンテンツが動画像である場合には、先頭フレームの静止画像を指す。
【００７４】
図７は、第３の実施の形態のコンテンツ共有システムを構成する各機器の動作を示すフローチャートである。なお、図３に示すフローチャートと共通する部分には同一の符号を付し、その詳細な説明は省略する。
【００７５】
メインサーバ１０１やサーバ１００には、デジタルカメラ１やパソコン５０等のネットワーク接続可能な機器を用いて、画像のアップロードが可能である。各種サーバは、アクセスしてきた機器に対して、ＩＤとパスワードによるユーザ認証を行い、ユーザ認証が成功すると、各種サーバに対する画像のアップロードを許可する（ステップＳ２１）。このように、ユーザは、所望のサーバ１００又はメインサーバ１０１に、所望の画像をアップロードすることが可能となる。
【００７６】
ユーザが画像のアップロードを行うと、メインサーバ１０１は、各サーバ１００にアクセスし、各サーバ１００のフォルダ及びフォルダに格納されている画像のインデックス情報を作成する（ステップＳ２２）。そして、メインサーバ１０１のイメージフォルダに、アップロードされた画像のサムネイルを格納する（ステップＳ２３）。イメージフォルダが存在しない場合は、メインサーバ１０１内にイメージフォルダを作成してサムネイルを格納する。
【００７７】
デジタルカメラ１が再生モードに設定され（ステップＳ１）、無線ＬＡＮ通信部６を介してネットワーク２００に接続されると、表示部５に画像格納場所及び関連フォルダ表示を行う（ステップＳ２、Ｓ３）。
【００７８】
表示部５のツリー表示にしたがってユーザが所望のフォルダを選択すると、デジタルカメラ１は、選択されたフォルダ内のサムネイル画像をメインサーバ１０１から取得し、表示部５に取得したサムネイル画像を再生表示する（ステップＳ２５）。
【００７９】
サムネイル画像を閲覧した結果、オリジナル画像を取得したい画像があった場合は、ユーザはオリジナル画像を要求することができる。この場合、ユーザはデジタルカメラ１を操作することにより、メインサーバ１０１に対してオリジナル画像の要求の指示を出す（ステップＳ２６）。このオリジナル画像の要求指示は、ネットワーク２００を介してメインサーバ１０１に送信される。
【００８０】
受信したオリジナル画像の要求指示に対して、メインサーバ１０１は、デジタルカメラ１に対してＩＤとパスワードによるユーザ認証を行う（ステップＳ２７）。
【００８１】
ユーザ認証が成功すると、メインサーバ１０１は、インデックス情報に基づいて、指定されたオリジナル画像を格納しているサーバ１００に対してオリジナル画像の送信を要求し、該当するサーバ１００からオリジナル画像を取得する（ステップＳ２８）。
【００８２】
サーバ１００からオリジナル画像を取得したメインサーバ１０１は、デジタルカメラ１に対して取得したオリジナル画像を送信し、デジタルカメラ１は、受信したオリジナル画像を表示部５に表示することが可能となる（ステップＳ２９）。
【００８３】
以上のように、デジタルカメラ１において画像を閲覧する際、閲覧に支障のない画素を持つ画像に対しては、常時アクセスが可能なシステムを提供することができる。このようなシステムとすることで、複数のサーバへアクセスする必要がなくなり、ユーザは、電源がオフとなっている機器内に格納されている画像についても、常に閲覧が可能となる。
【００８４】
＜第４の実施の形態＞
図８は、第４の実施の形態のコンテンツ共有システムの各機器の動作を示すフローチャートである。なお、図７に示すフローチャートと共通する部分には同一の符号を付し、その詳細な説明は省略する。
【００８５】
第４の実施の形態のコンテンツ共有システムは、デジタルカメラ１において再生表示されたサムネイルについてオリジナル画像を要求されたときに、要求画像をデジタルカメラ１に送信するとともに、要求画像と関連するオリジナル画像についてもメインサーバ１０１に格納しておく。
【００８６】
第３の実施の形態と同様に、メインサーバ１０１は、各サーバ１００のフォルダ及びフォルダに格納されている画像のインデックス情報を取得している。また、メインサーバ１０１のイメージフォルダには、アップロードされた画像のサムネイルが格納されている（ステップＳ２１〜Ｓ２３）。
【００８７】
デジタルカメラ１では、メインサーバ１０１から取得したサムネイルが再生表示され（ステップＳ１〜Ｓ２５）、ユーザは、表示されたサムネイル画像を閲覧して、所望の画像のオリジナル画像の要求指示を出す（ステップＳ２６）。
【００８８】
オリジナル画像の要求指示に対して、メインサーバ１０１は、デジタルカメラ１に対してＩＤとパスワードによるユーザ認証を行う（ステップＳ２７）。
【００８９】
ユーザ認証が成功すると、メインサーバ１０１は、インデックス情報に基づいて、該当するオリジナル画像が格納されているサーバ１００に対してオリジナル画像を要求し、オリジナル画像を取得する（ステップＳ２８）。
【００９０】
サーバ１００からオリジナル画像を取得したメインサーバ１０１は、デジタルカメラ１に対して取得したオリジナル画像を送信し、デジタルカメラ１は、受信したオリジナル画像を表示することが可能となる（ステップＳ２９）。
【００９１】
このとき、メインサーバ１０１は、複数のサーバ１００の中から、要求されたオリジナル画像と関連する画像の検索を行う（ステップＳ３０）。関連する画像とは、例えば、要求されたオリジナル画像と同じ人物が写っている画像、同じ場所で撮影された画像、同じ時間に撮影された画像などが挙げられる。検索は、Ｅｘｉｆ等の撮影情報を基に行う。なお、あらかじめインデックス情報にこれらの情報を含めておき、インデックス情報に基づいて検索してもよい。
【００９２】
検索が終了すると、メインサーバ１０１は、オリジナル画像と関連する画像を各サーバ１００から取得し、メインサーバ１０１内に格納する（ステップＳ３１）。さらに、取得した関連画像をデジタルカメラ１に送信し、デジタルカメラ１は、受信した関連画像を表示部５に表示する（ステップＳ３２）。ここで送信する関連画像は、オリジナル画像でなくサムネイルでもよい。
【００９３】
このように、ユーザが次にアクセスしそうな画像を予めメインサーバ１０１やデジタルカメラ１に準備することにより、画像の閲覧をスムーズに行うことができる。また、関連する画像を自動的にユーザに提供することも可能となる。
【００９４】
なお、本実施の形態の処理は、デジタルカメラ１における撮影動作の直後に行われても良い。即ち、撮影した画像と関連する画像を検索し、デジタルカメラ１に送信してもよい。
【００９５】
＜第５の実施の形態＞
第５の実施の形態のコンテンツ共有システムは、ユーザが次にアクセスすると予測される関連画像を予めデジタルカメラ１に格納する。
【００９６】
図９は、第５の実施の形態のコンテンツ共有システムの各機器の動作を示すフローチャートである。なお、図８に示すフローチャートと共通する部分には同一の符号を付し、その詳細な説明は省略する。
【００９７】
これまでと同様に、メインサーバ１０１は、事前に各サーバ１００のフォルダ及びフォルダに格納されている画像のインデックス情報を取得している。また、メインサーバ１０１のイメージフォルダには、アップロードされた画像のサムネイルが格納されている。
【００９８】
デジタルカメラ１は、再生モードに設定すると、メインサーバ１０１から取得したサムネイルが再生表示される（ステップＳ１〜Ｓ２５）。
【００９９】
ここで、ユーザが画像を選択すると（ステップＳ４１）、デジタルカメラ１は、選択した画像についてスライドショー表示を行う（ステップＳ４２）とともに、メインサーバ１０１に、ユーザが選択した画像の情報を送信する。この情報を取得したメインサーバ１０１は、複数のサーバ１００から選択画像と関連する画像の検索を行い（ステップＳ３０）、検索された関連画像を取得する（ステップＳ４３）。関連する画像とは、例えば、選択された画像と同じ人物が写っている画像、同じ場所で撮影された画像、同じ時間に撮影された画像などが挙げられる。これらの情報をあらかじめインデックス情報に含ませておいて、インデックス情報に基づいて検索してもよい。
【０１００】
検索が終了すると、メインサーバ１０１は、取得した関連画像をデジタルカメラ１に送信し、デジタルカメラ１は、受信した関連画像を記録部４に格納する（ステップＳ４４）。また、格納した関連画像を表示部５に表示する（ステップＳ３２）。記録部４に格納する際に、新たな関連画像フォルダに格納して図４に示すようなフォルダ構成としてもよいし、既存のデジタルカメラ１内のフォルダに格納してもよい。また、格納するタイミングは、ユーザがデジタルカメラ１を操作しているときにリアルタイムに行なってもよいし、操作していないときに自動的に行なってもよい。
【０１０１】
このように、ユーザが次にアクセスすると予測される画像を予めデジタルカメラ１に移動させておくことにより、画像の閲覧をスムーズに行うことができる。また、関連する画像を自動的にユーザに提供することも可能となる。
【０１０２】
なお、本実施の形態の処理は、デジタルカメラ１における撮影動作の直後に行われても良い。即ち、撮影した画像と関連する画像を検索し、デジタルカメラ１に送信してもよい。
【０１０３】
ここで、デジタルカメラ１に自動的に格納された画像について説明する。デジタルカメラ１は、これらの画像を自動的に縮小加工や削除を行うことにより、カメラ内のメモリ容量の占有を回避する。
【０１０４】
図１０は、デジタルカメラ１に自動的に格納された画像についての処理を示すフローチャートである。
【０１０５】
デジタルカメラ１は、自動的に格納された画像の処理について、あらかじめ条件が設定されている（ステップＳ５０）。例えば、格納されてからＸ時間後にサムネイル化（サイズの縮小化）を行い、格納されてからＹ時間後に削除を行う。このＸ及びＹについて、ユーザが自由に設定することも可能である。
【０１０６】
画像が自動的に格納されてからＸ時間が経過すると、デジタルカメラ１は、Ｘ時間経過した画像について、サムネイル化を実行する（ステップＳ５２）。サムネイル化を実行すると、ネットワークに接続し、各種サーバにアクセスし、サムネイル化を行った画像の情報について通知する（ステップＳ５３）。通知するタイミングは、いつでもよい。
【０１０７】
また、画像が自動的に格納されてからＹ時間が経過すると、デジタルカメラ１は、Ｙ時間経過した画像について、記録部４からの削除を実行する（ステップＳ５４）。さらに、ネットワークに接続し、各種サーバにアクセスし、削除を行った画像の情報について通知する（ステップＳ５５）。この通知のタイミングについても、いつでも構わない。
【０１０８】
このように、デジタルカメラ１に自動的に格納された画像について、自動的に縮小加工や削除を行うことで、デジタルカメラ１のメモリ容量の占有を回避することが可能となる。
【０１０９】
なお、ここでは取得してからの経過時間を計測してサイズの縮小化、及び削除を行ったが、サイズの縮小化を行うのはサイズの大きいコンテンツのみであってもよいし、経過時間の計測を行わずに全て削除してもよい。また、アクセス頻度の低いものや閲覧合計時間の短いものを優先的に縮小化や削除を行なってもよい。
【０１１０】
次に、デジタルカメラ１の、サーバ１００に対する画像の自動アップロードについて説明する。デジタルカメラ１は、自動で全画像をアップロードするモードや、ユーザが選択した画像をアップロードするモードの他に、ユーザが操作をしていないときに、自動的にアクセス頻度の低い画像のアップロードを行うモードを備えている。これらのモードは、ユーザが自由に切り換えることが可能である。
【０１１１】
図１１は、デジタルカメラ１が自動アップロードモードに設定されている場合のコンテンツ共有システムの動作を示すフローチャートである。
【０１１２】
デジタルカメラ１は、記録部４に格納されている各画像についてのアクセス頻度テーブル、及び／またはアクセス時間テーブルを有している。アクセス頻度テーブルは、各画像がアクセス頻度の低い順にソートされている。また、アクセス時間テーブルは、各画像が最終アクセスからの経過時間が長い順にソートされている。
【０１１３】
デジタルカメラ１は、アップロード処理に入ると、まずアクセス頻度テーブルまたはアクセス時間テーブルを参照する（ステップＳ６１）。これらのテーブルから、上位の所定枚数を選択し（ステップＳ６２）、ネットワークに接続後（ステップＳ６３）、サーバ１００にアップロードを行う。また、アップロードを行った画像については、記録部４から削除する。
【０１１４】
アクセス時間テーブルを参照してアップロードする場合は、上位の所定枚数ではなく、最終アクセスから所定時間以上経過した画像を選択してもよい。
【０１１５】
このように、デジタルカメラ１は、アクセス頻度の低い画像を優先的にサーバ１００にアップロードすることができ、ユーザはアクセス頻度の高い気に入った画像のみをデジタルカメラ１内に残しておくことが可能となる。
【０１１６】
また、本コンテンツ共有システムは、各種サーバ内の画像について一元管理を行うことも可能である。図１２は、コンテンツの一元管理方法について示すフローチャートである。
【０１１７】
最初にユーザは、デジタルカメラ１において、画像を管理したい各サーバの名前と、ユーザＩＤ及びパスワードについての管理テーブルを設定する（ステップＳ６４）。この設定は、デジタルカメラ１からではなく、パソコン５０などのネットワーク２００に接続可能な他機器で行なってもよい。
【０１１８】
次に、ユーザがメインサーバ１０１へのアクセス処理を行うと、メインサーバ１０１は、デジタルカメラ１に対してユーザＩＤ及びパスワードによる認証を行う。デジタルカメラ１に対するユーザ認証が成功すると、メインサーバ１０１は、デジタルカメラ１の管理テーブルに基づいて各サーバ１００に対してアクセスを行い、各サーバ１００はメインサーバ１０１に対してユーザ認証を行う（ステップＳ６５）。これらのユーザ認証が全て成功すると、メインサーバ１０１は各サーバ１００に対してインデックス情報を取得し、サーバ名一覧の作成及び画像ファイル名一元化を行い、これらの情報をデジタルカメラ１に送信する（ステップＳ６７）。
【０１１９】
デジタルカメラ１は、サーバ名一覧及び画像ファイルのリストを受信し、このリストに基づいて、表示部５に図４に示すような表示を行う。なお、図４に示すようなサーバ毎のフォルダ表示でなく、オリジナルのフォルダ構成としてもよい。
【０１２０】
このように、メインサーバ１０１が他のサーバ１００へのＩＤ管理を行い、各サーバ１００の画像のアクセス権を持つことにより、ユーザが使用している様々なサイトやＳＮＳ、画像保存用サーバに格納されているコンテンツを一元的に提供し、コンテンツを一括管理することができる。これにより、デジタルカメラ１内のフォルダ構成をユーザが自由に設定することができ、かつ、ファイル名での各種設定なども可能となる。
【０１２１】
＜第６の実施の形態＞
図１３は、本実施の形態におけるコンテンツ共有システムの全体構成図である。図５に示す全体構成図とは、プリントサーバ３００を備えたところが異なっている。
【０１２２】
図１４は、第６の実施の形態のコンテンツ共有システムの各機器の動作を示すフローチャートである。なお、図９に示すフローチャートと共通する部分には同一の符号を付し、その詳細な説明は省略する。第６の実施の形態のデジタルカメラ１は、画像の格納場所にかかわらず、プリントサーバ３００にプリントを指示することが可能である。
【０１２３】
デジタルカメラ１は、再生モードに設定される（ステップＳ１）と、ネットワーク接続を行い（ステップＳ２４）、図４に示すような画像格納場所及び関連フォルダ表示を行う（ステップＳ２、Ｓ３）。また、メインサーバ１０１から取得したサムネイルが表示部５に再生表示され（ステップＳ１〜Ｓ２５）、ユーザは、表示されたサムネイル画像から、プリントしたい画像のサムネイル画像を選択し（ステップＳ７１）、プリント指示を行う（ステップＳ７２）。
【０１２４】
この操作に対し、デジタルカメラ１は、選択されたサムネイル画像の情報をメインサーバ１０１に送信する。これを受信したメインサーバ１０１は、プリントサーバ３００に対してプリント予約を行うとともに、選択されたサムネイル画像のオリジナル画像を格納しているサーバ１００に対して、画像をプリントサーバ３００に送信するように指示を与える。これまでと同様に、メインサーバ１０１は、各サーバ１００のフォルダ及び各フォルダに格納されている画像のインデックス情報を有しており、インデックス情報に基づいて選択されたサムネイル画像のオリジナル画像の格納場所を検出することが可能である。
【０１２５】
さらにメインサーバ１０１は、プリントサーバ３００に対してプリント指示を与え、プリント指示を受けたプリントサーバ３００は、サーバ１００からオリジナル画像を受信した後にこのオリジナル画像のプリントを行う。
【０１２６】
このように、デジタルカメラ１からネットプリントを行う際、画像が格納されている場所にかかわらず、ネットプリントを行うことができる。
【図面の簡単な説明】
【０１２７】
【図１】図１は、本発明が適用されたデジタルカメラ１の電気的構成を示すブロック図である。
【図２】図２は、第１の実施の形態のコンテンツ共有システムの全体構成図である。
【図３】図３は、デジタルカメラ１において画像を再生する場合の、コンテンツ共有システムを構成する各機器の動作を示すフローチャートである。
【図４】図４は、表示部５に画像格納場所が表示された様子を示す図である。
【図５】図５は、第２の実施の形態におけるコンテンツ共有システムの全体構成図である。
【図６】図６は、第２の実施の形態のコンテンツ共有システムを構成する各機器の動作を示すフローチャートである。
【図７】図７は、第３の実施の形態のコンテンツ共有システムを構成する各機器の動作を示すフローチャートである。
【図８】図８は、第４の実施の形態のコンテンツ共有システムを構成する各機器の動作を示すフローチャートである。
【図９】図９は、第５の実施の形態のコンテンツ共有システムを構成する各機器の動作を示すフローチャートである。
【図１０】図１０は、デジタルカメラ１に自動的に格納された画像についての処理を示すフローチャートである。
【図１１】図１１は、デジタルカメラ１が自動アップロードモードに設定されている場合のコンテンツ共有システムの動作を示すフローチャートである。
【図１２】図１２は、本発明のコンテンツ共有システムにおけるコンテンツ一元管理方法について示すフローチャートである。
【図１３】図１３は、本実施の形態におけるコンテンツ共有システムの全体構成図である。
【図１４】図１４は、第６の実施の形態のコンテンツ共有システムを構成する各機器の動作を示すフローチャートである。
【符号の説明】
【０１２８】
１…デジタルカメラ、２…撮像部、３…制御部、４…記録部、５…表示部、６…無線ＬＡＮ通信部、５０…パソコン、１００…サーバ、１０１…メインサーバ、２００…ネットワーク、３００…プリントサーバ
【図１】
2009193108.tif 000003
【図２】
2009193108.tif 000004
【図３】
2009193108.tif 000005
【図４】
2009193108.tif 000006
【図５】
2009193108.tif 000007
【図６】
2009193108.tif 000008
【図７】
2009193108.tif 000009
【図８】
2009193108.tif 000010
【図９】
2009193108.tif 000011
【図１０】
2009193108.tif 000012
【図１１】
2009193108.tif 000013
【図１２】
2009193108.tif 000014
【図１３】
2009193108.tif 000015
【図１４】
2009193108.tif 000016